(57)【特許請求の範囲】
【請求項１】
装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なることを特徴とするリバーシブルキーボード。
【請求項２】
装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、前記表面側キートップ部の突出部と前記裏面側キートップ部の突出部とをずらせて設けることを特徴とするリバーシブルキーボード。
【請求項３】
前記表面側キートップ部と裏面側キートップ部とが一体的に形成されていることを特徴とする請求項１または請求項２に記載のリバーシブルキーボード。
【請求項４】
前記表面側キートップ部と裏面側キートップ部とが個別に形成されていることを特徴とする請求項１または請求項２に記載のリバーシブルキーボード。
【請求項５】
前記表面側キートップ部と裏面側キートップ部とが互いに嵌め合わせることによって一体に連結されていることを特徴とする請求項４に記載のリバーシブルキーボード。
【請求項６】
装置本体のキースイッチ部に表面側または裏面側のいずれかの面を上に向けて装着することにより、装置のキー入力を行うことのできるリバーシブルキーボードと、前記キースイッチ部に装着されたリバーシブルキーボードの装着面側方向に応じてキー入力による制御機能を切り替えるキー入力制御手段とを備え、前記キー入力制御手段は、キー入力の途中で前記リバーシブルキーボードの表面と裏面との入れ替えが行われた後のリバーシブルキーボードのキー入力による制御を継続することを特徴とする情報処理装置。
【請求項７】
装置本体のキースイッチ部に表面側または裏面側のいずれかの面を上に向けて装着することにより、装置のキー入力を行うことのできるリバーシブルキーボードと、前記リバーシブルキーボードが、キースイッチ部に着脱可能に設けられた情報処理装置であって、前記キースイッチ部に装着されたリバーシブルキーボードの装着面側方向に応じてキー入力による制御機能を切り替えるキー入力制御手段と、前記リバーシブルキーボードの装着の有無を検出する第１検出手段とを備え、前記キー入力制御手段は、前記第１検出手段によりリバーシブルキーボードがキースイッチ部に装着されていないことを検出している場合には、キー入力の制御を停止することを特徴とする情報処理装置。
【請求項８】
前記リバーシブルキーボードのどちらの面を上に向けて装着されたかを検出する第２検出手段を備え、前記キー入力制御手段は、前記第２検出手段の検出結果に基づき、装着されたリバーシブルキーボードの装着方向に応じてキー入力による制御機能を切り替えることを特徴とする請求項６または請求項７に記載の情報処理装置。
【請求項９】
前記リバーシブルキーボードを２種類以上有するとともに、これらリバーシブルキーボードの種類を検出する第３検出手段を備え、前記キー入力制御手段は、前記第２検出手段及び第３検出手段の検出結果に基づき、装着されたリバーシブルキーボードの種類と装着方向とに応じてキー入力による制御機能を切り替えることを特徴とする請求項８に記載の情報処理装置。
【請求項１０】
前記キースイッチ部に装着されたリバーシブルキーボードをロックするロック機構部が装置本体に設けられているとともに、このロック機構部のロックを解除する解除ボタンが装置本体の外面に露出して設けられていることを特徴とする請求項６または請求項７に記載の情報処理装置。
【請求項１１】
前記リバーシブルキーボードを前記キースイッチ部から押し上げる押上手段が装置本体に設けられているとともに、前記解除ボタンによりロック機構部のロックを解除したとき、前記押上手段によりリバーシブルキーボードがキースイッチ部から押し上げられることを特徴とする請求項１０に記載の情報処理装置。
【発明の詳細な説明】
【０００１】
【発明の属する技術分野】
本発明は、着脱可能なキーユニットの表面と裏面とを使い分けることにより、機能を拡張することを可能としたリバーシブルキーボード及びこのリバーシブルキーボードを備えた情報処理装置に関する。
【０００２】
【従来の技術】
従来より、キーボードの両面にキートップ部を設け、キーボードの上下を入れ換えて装置本体に装着することにより、キー機能の拡張を図った情報処理装置が提案されている。
【０００３】
しかしながら、このような情報処理装置は、キーボードの内部に基板等の電気的構成を備える必要があるため、キーボード自体が回路的に複雑、かつ大型化し、コスト的にも安価に提供できないといった問題があった。
【０００４】
一方、このような基板等の電気的構成を備えることなく、キースイッチ部とキートップ部とを分離する構造のものも提案されている。
【０００５】
例えば、特開平６−１８９３８３号公報に記載のものは、ワイヤレスリモコンであって、複数の扉のうちから自分が最も頻繁に使用すると思われる機能の操作釦が付いている扉を選び出し、これを本体側のヒンジ部に取り付ける。そして、この扉を閉めると、扉の裏面に設けられている凸部が、操作面上の複数の押圧スイッチのいずれかを押し付け、この押圧スイッチのスイッチ状態の変化の検出により、扉が閉じられた状態になったことを判別する。この状態で利用者が扉表面の操作釦を押すと、その真下に位置する本体の操作面上の操作釦が押されるが、このとき制御回路は、本体操作面側に表示されている機能ではなく、扉表面側に表示されている機能について制御を行う構成となっている。
【０００６】
また、特開２０００−８７４１５号公報に記載のものは、人体局部洗浄装置であって、便座の側方に袖部が配設されており、この袖部に操作装置が配設されている。この操作装置は、操作スイッチと操作スイッチを覆う着脱可能な蓋とからなり、蓋表面に押釦が配設され、押釦の押圧操作に機械的に連動して操作スイッチが押圧される構成となっている。
【０００７】
また、特開２０００−２６７７９５号公報に記載のものは、携帯用電子機器であって、操作スイッチを有する機器本体と、操作スイッチを押圧する操作ボタンを有し、機器本体に回動自在に装着される操作パネルとを備え、操作パネルを機器本体から着脱自在にするとともに、別の操作パネルと取り替え可能とする。そして、複数種類の操作パネルを用意しておき、操作ボタンの形状等が異なる操作パネルを選択して機器本体に装着することで、利用者の嗜好を満足させるとともに、操作性の向上を図っている。
【０００８】
【発明が解決しようとする課題】
しかしながら、上記公報に記載の従来技術は、いずれも操作パネルの差し替えを前提に創案されたものであり、操作パネル単体としては１種類のみである。また、操作パネルの裏面を別の操作パネルとして利用するといった発想も全くない。
【０００９】
本発明はかかる点に着目して創案されたもので、その目的は、情報処理装置のキースイッチ部に、表面側または裏面側のいずれか一方の面を上に向けて装着することにより、制御機能の異なるキー入力を行うことのできるリバーシブルキーボード及びこのリバーシブルキーボードを備えた情報処理装置を提供することにある。
【００１０】
【課題を解決するための手段】
本発明のリバーシブルキーボードは、装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なることを特徴とする。また、表面側キートップ部と裏面側キートップ部とは、一体的に形成されていてもよいし、個別に形成されていてもよい。また、個別に形成されている場合であっても、互いに嵌め合わせることによって一体に連結することができるようになっていてもよい。
【００１１】
このような特徴を有する本発明によれば、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。
【００１２】
また、１つの開口部に収納保持された表面側キートップ部の数を例えば１個とし、裏面側キートップ部の数を例えば２個としておけば、リバーシブルキーボードを表裏反転させてキースイッチ部に装着したときに、より多種多様なキー入力制御が可能となる。
【００１３】
この場合、表面側キートップ部と裏面側キートップ部とは、樹脂等により一体的に形成されて開口部に収納保持されていてもよい。また、表面側キートップ部と裏面側キートップ部とが個別に形成されるとともに、互いに嵌め合わせることによって一体に連結されて開口部に収納保持されていてもよい。
【００１４】
また、表面側キートップ部と裏面側キートップ部とは、個別に形成されていてもよい。この場合には、表面側キートップ部の下面と裏面側キートップ部の下面とを合わせるようにし、この合わせ部分を開口部に収納保持すればよい。
【００１５】
また、表面側キートップ部と裏面側キートップ部とは、その外観が異なるように形成してもよい。例えば、形状、寸法または外観色の少なくともいずれか１つ以上が異なるように形成する。このように表面側キートップ部と裏面側キートップ部とで外観を異ならせることにより、リバーシブルキーボードのどちらの面を上にして装着されているかが容易に分かるので、人為的な操作ミスを低減することができる。
【００１６】
また、本発明のリバーシブルキーボードは、装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、前記表面側キートップ部の突出部と前記裏面側キートップ部の突出部とをずらせて設けることを特徴とする。また、表面側キートップ部と裏面側キートップ部とは、一体的に形成されていてもよいし、個別に形成されていてもよい。また、個別に形成されている場合であっても、互いに嵌め合わせることによって一体に連結することができるようになっていてもよい。
【００１７】
このような特徴を有する本発明によれば、表面側キートップ部の突出部の位置と裏面側キートップ部の突出部の位置とが、開口部内において互いに対向しないようにずらせて設けられていることから、リバーシブルキーボードを例えば表面側を上に向けた状態から、裏面側を上に向けた状態に入れ替えたとき、装置本体のキースイッチ部に当接するキートップ部の位置が異なることになる。そのため、キースイッチ部に、表面側キートップ部および裏面側キートップ部のそれぞれの当接位置に対応してキーパターンを予め形成しておけば、リバーシブルキーボードがどちらの面を上に向けて装着されているのかを検出しなくても、装着されたリバーシブルキーボードに対応したキー入力制御を行うことが可能となる。つまり、リバーシブルキーボードがどちらの面を上に向けて装着されているのかを検出する検出手段が不要となる。
【００１８】
また、本発明の情報処理装置は、装置本体のキースイッチ部に表面側または裏面側のいずれかの面を上に向けて装着することにより、装置のキー入力を行うことのできるリバーシブルキーボードと、前記キースイッチ部に装着されたリバーシブルキーボードの装着面側方向に応じてキー入力による制御機能を切り替えるキー入力制御手段とを備え、前記キー入力制御手段は、キー入力の途中で前記リバーシブルキーボードの表面と裏面との入れ替えが行われた後のリバーシブルキーボードのキー入力による制御を継続することを特徴とする。
【００１９】
このような特徴を有する本発明によれば、リバーシブルキーボードを例えば表面側を上に向けてキースイッチ部に装着した状態でキー入力を行っている途中で、リバーシブルキーボードをキースイッチ部から一旦取り外して表裏を入れ替えても、電源がオン状態であるので、それまでの入力を有効として、その後のキー入力制御を継続することができる。
【００２０】
また、本発明の情報処理装置は、前記キースイッチ部へのリバーシブルキーボードの装着の有無を検出する第１検出手段をさらに備え、前記キー入力制御手段は、前記第１検出手段によりリバーシブルキーボードがキースイッチ部に装着されていないことを検出している場合には、キー入力の制御を停止するようになっていることを特徴とする。
【００２１】
このような特徴を有する本発明によれば、リバーシブルキーボードがキースイッチ部に装着されていないときには、一切のキー入力の制御を停止するように構成されているので、操作者の意図しない不測の誤ったキー入力を確実に防止することができる。
【００２２】
また、本発明の情報処理装置は、前記リバーシブルキーボードのどちらの面を上に向けて装着されたかを検出する第２検出手段をさらに備え、前記キー入力制御手段は、前記第２検出手段の検出結果に基づき、装着されたリバーシブルキーボードの装着方向に応じてキー入力による制御機能を切り替えることを特徴とする。
【００２３】
このような特徴を有する本発明によれば、第１検出手段によってリバーシブルキーボードが装着されたことを検出し、第２検出手段によって例えば表面側を上に向けて装着されたことを検出した場合には、キー入力制御手段は、キー入力の機能を、表面側のキー入力機能に切り替えてキー入力制御を行う。また、第１検出手段によってリバーシブルキーボードが装着されたことを検出し、第２検出手段によって裏面側を上に向けて装着されたことを検出した場合には、キー入力制御手段は、キー入力の機能を、裏面側のキー入力機能に切り替えてキー入力制御を行う。
【００２４】
また、本発明の情報処理装置は、前記リバーシブルキーボードを２種類以上有するとともに、これらリバーシブルキーボードの種類を検出する第３検出手段を備え、前記キー入力制御手段は、前記第２検出手段及び第３検出手段の検出結果に基づき、装着されたリバーシブルキーボードの種類と装着方向とに応じてキー入力による制御機能を切り替えることを特徴とする。
【００２５】
このように、リバーシブルキーボードを複数用意することで、より多様なキー入力制御を行うことが可能となる。
【００２６】
また、本発明の情報処理装置は、前記キースイッチ部に装着されたリバーシブルキーボードをロックするロック機構部が装置本体に設けられているとともに、このロック機構部のロックを解除する解除ボタンが装置本体の外面に露出して設けられていることを特徴とする。
【００２７】
このように、ロック機構部を設けることによって、キーボードを操作中に、リバーシブルキーボードが装置本体から不測に外れるといった事態を確実に防止することができる。また、リバーシブルキーボードの操作面を入れ替える場合には、解除ボタンを操作することによってロックを解除することができる。
【００２８】
この解除ボタンは、装置本体の外面に設けられており、キーボードの操作面にはないことから、キーボードを操作中に誤って解除ボタンに触れる心配がない。そのため、リバーシブルキーボードが装置本体から不測に外れてしまうといった事態も発生しない。
【００２９】
また、本発明の情報処理装置は、前記リバーシブルキーボードを前記キースイッチ部から押し上げる押上手段が装置本体に設けられているとともに、前記解除ボタンによりロック機構部のロックを解除したとき、前記押上手段によりリバーシブルキーボードがキースイッチ部から押し上げられることを特徴とする。
【００３０】
このような特徴を有する本発明によれば、解除ボタンによりロック機構部を解除したとき、押上手段に押し上げられてリバーシブルキーボードがキースイッチ部から浮き上がるので、リバーシブルキーボードの表裏の入れ替え交換作業を容易に行うことが可能となる。
【００３１】
【発明の実施の形態】
以下、本発明の実施の形態について、図面を参照して説明する。
【００３２】
［実施の形態１］
図１ないし図３は、本発明に係わるリバーシブルキーボードを備えた情報処理装置の実施の形態１を示しており、図１はリバーシブルキーボードを取り外した状態の情報処理装置の外観斜視図、図２はリバーシブルキーボードを装着した状態の情報処理装置の外観斜視図、図３はリバーシブルキーボードを取り外した状態の平面図である。本実施の形態１では、情報処理装置としてグラフィック関数電卓に適用した例を示している。ただし、図１及び図３には、取り外した状態のリバーシブルキーボードが、表面側を上に向けた状態と、裏面側を上に向けた状態の２つの状態で示されている。
【００３３】
装置本体１の上面には、その上部に液晶パネル等からなる表示部２が設けられており、その下部にキー入力部３が設けられている。
【００３４】
キー入力部３は、装置本体１の上面に固定的に配置された関数キー３１及びカーソルキー３２と、キーボード部分を取り除いた状態のキーゴム（請求項に記載のキースイッチ部）３３とからなる。
【００３５】
キーゴム３３は、装置本体１の上面に矩形状に形成されたキーボード装着用凹部１１の底面に配置されており、このキーボード装着用凹部１１に装着されるリバーシブルキーボード５と連携して動作する。すなわち、リバーシブルキーボード５は、キーゴム３３の上に重ね合わせて装着される（図２参照）。
【００３６】
図４は、図３に示す装置本体１のＡ−Ａ線概略断面図である。
【００３７】
キーゴム３３は、装置本体１の上キャビネット１ａに設けられており、その下面には、各キー位置に導電部３３ａが設けられている。また、キーゴム３３の下部には、そのキー位置に対向してキーパターン２１ａが形成されたキー基板２１が設けられており、このキー基板２１の下部に、下キャビネット１ｂと一体に形成された左右一対の電池収納部２２，２２が設けられている。また、電池収納部２２，２２を被覆するための電池蓋２３が、下キャビネット１ｂに着脱可能に取り付けられるようになっている。
【００３８】
図５は、図３に示すリバーシブルキーボード５のＢ−Ｂ線概略断面図である。
【００３９】
リバーシブルキーボード５は、キーゴム３３を押し下げする表面側のキートップ部５１ａ，５１ａ・・・及び裏面側のキートップ部５１ｂ，５１ｂ・・・と、表面側のキートップ部５１ａ，５１ａ・・・をそれぞれ収納保持する表面側の開口部５３ａ，５３ａ・・・を有する表面側のキーキャビネット５２ａ及び裏面側のキートップ部５１ｂ，５１ｂ・・・をそれぞれ収納保持する裏面側の開口部５３ｂ，５３ｂ・・・を有する裏面側のキーキャビネット５２ｂとからなる。
【００４０】
そして、表面側のキーキャビネット５２ａの開口部５３ａに表面側のキートップ部５１ａを挿入し、裏面側のキーキャビネット５２ｂの開口部５３ｂに裏面側のキートップ部５１ｂを挿入して、両キーキャビネット５２ａ，５２ｂを接合することにより、対向するキートップ部５１ａ，５１ｂが、両キーキャビネット５２ａ，５２ｂ内で上下動可能に収納保持されている。
【００４１】
キートップ部５１ａ，５１ｂには、その下部周辺にリング状のつば部５４が形成されており、このつば部５４が開口部５３ａ，５３ｂの内部周辺に当接することで、キートップ部５１ａ，５１ｂがキーキャビネット５２ａ，５２ｂから脱落しないようになっている。なお、キートップ部５１ａ，５１ｂの形状や構造については、種々の形態が考えられるが、これについては後述する。
【００４２】
また、キーキャビネット５２ａ，５２ｂは、その内面側であって、開口部５３ａ，５３ｂの周辺部に、リブ片５５が突設されている。このリブ片５５が一方のキーキャビネット５２ａから突設されている場合には、他方のキーキャビネット５２ｂの対向部分に凹部５６が形成されており、両キーキャビネット５２ａ，５２ｂを接合したときには、リブ片５５の先端が対向する凹部５６に嵌まり込み、両キーキャビネット５２ａ，５２ｂが安定的に接合されるようになっている。
【００４３】
このような構成のリバーシブルキーボード５の前端面５ａには、第１検出突起部５７が設けられており、後端面５ｂには、ロック用凹部５９が設けられている。
【００４４】
第１検出突起部５７は、リバーシブルキーボード５の表面側または裏面側のいずれの面を上に向けて装着されたかを検出するための突起部であり、前端面５ａの左側または右側のいずれか一方の側に設けられている。
【００４５】
また、ロック用凹部５９は、リバーシブルキーボード５がキーボード装着用凹部１１に装着されたとき、その装着状態を固定するために用いられる凹部であり、後述するロック機構部６のロック用爪部６２が挿入、係止されるようになっている。
【００４６】
一方、装置本体１のキーボード装着用凹部１１には、図１に示すように、リバーシブルキーボード５の前端面５ａに対向する前端面１１ａに、リバーシブルキーボード５に設けられた第１検出突起部５７が挿入される第１開口部１２及び第２開口部１３が形成されている。そして、第１開口部１２内に第１検出スイッチ１５が設けられ、第２開口部１３内にはスイッチは設けられていない。すなわち、第１検出スイッチ１５は、本実施の形態では、前端面１１ａの右側端部に設けられている。
【００４７】
そして、第１検出スイッチ１５とリバーシブルキーボード５の第１検出突起部５７とが、リバーシブルキーボード５の装着状態の検出のために使用される。なお、第１検出スイッチ１５としては、プッシュスイッチやキースイッチの使用が可能である。
【００４８】
すなわち、第１検出スイッチ１５と第１検出突起部５７とは、左右方向の一方の側にのみ設けられている。そのため、リバーシブルキーボード５をキーボード装着用凹部１１に装着するとき、例えばリバーシブルキーボード５の表面側が上である場合には、第１検出突起部５７がキーボード装着用凹部１１の前端面１１ａの左側に位置して、第２開口部１３に挿入され、第１検出スイッチ１５はオフ状態のままである。一方、リバーシブルキーボード５の裏面側が上である場合には、第１検出突起部５７がキーボード装着用凹部１１の前端面１１ａの右側に位置して、第１開口部１２に挿入され、第１検出スイッチ１５はオン状態となる。
【００４９】
従って、この第１検出スイッチ１５のオン、オフ状態によって、リバーシブルキーボード５の装着状態を検出することができる。すなわち、第１検出スイッチ１５がオフ状態のとき、リバーシブルキーボード５が表面側を上にしてキーボード装着用凹部１１に装着されていることになり、第１検出スイッチ１５がオン状態のとき、リバーシブルキーボード５が裏面側を上にしてキーボード装着用凹部１１に装着されていることになる。
【００５０】
図６ないし図８は、ロック機構部６の構造を示しており、図６はキーボード装着用凹部１１を一部拡大した平面図、図７は装置本体の側面図、図８（ａ），（ｂ）は図６のＤ−Ｄ線概略断面図である。
【００５１】
ロック機構部６は、装置本体１のキーボード装着用凹部１１の下部であって、電池収納部２２，２２の間、及び各電池収納部２２，２２と左右の本体側面１９，１９との間の３箇所にそれぞれロック本体部６１が設けられており、これらロック本体部６１は、連結バー６１１によって一体的に連結されている。
【００５２】
これらロック本体部６１は、左右の電池収納部２２，２２の間及び各電池収納部２２，２２と本体側壁部との間に挟持される形で、前後方向（図８中、Ｘ１，Ｘ２方向）に摺動可能に設けられている。そして、このロック本体部６１の後部側上面６１ａに、上方に起立した一対のロック用爪６２，６２が形成されている。
【００５３】
また、ロック本体部６１の後端面６１ｂには、スプリング用凹部６３が形成されており、このスプリング用凹部６３と対向する装置本体１の上キャビネット１ａにも、同様にスプリング用凹部１ａ１が形成されている。そして、これらスプリング用凹部６３，１ａ１の間に、スプリング６５が装着されている。
【００５４】
また、左右両側のロック本体部６１，６１の外側面６１ｃには、それぞれ外側方に突出したロック解除用ノブ６４（ロック解除機能を備えた請求項に記載の解除ボタン）が形成されている。ロック解除用ノブ６４は、本体側面１９に形成された長方形状の長穴１９ａ（図７参照）に嵌め込まれた状態で本体側面１９から露出しており、この長穴１９ａ内で、前後方向（Ｘ１，Ｘ２方向）に摺動可能となっている。つまり、この長穴１９ａによって、前後方向の摺動範囲が規制されるようになっている。ただし、ロック解除用ノブ６４は、本体側面１９からあまり突出しないように設けられており、キーボードの操作中に、指等が不測に当たってロックが解除されることのないように考慮されている。
【００５５】
このような構成のロック機構部６によれば、リバーシブルキーボード５が装着されていない状態では、図８（ａ）に示すように、スプリング６５の弾発力によってロック本体部６１がＸ２方向に付勢されており、ロック解除用ノブ６４が、長穴１９ａの前方側端部１９ａ１に当接している。また、ロック用爪６２は、キーボード装着用凹部１１の後端面１１ｂから若干突出した状態となっている。
【００５６】
なお、リバーシブルキーボード５がキーボード装着用凹部１１に装着された状態においても、図１５に示すように、ロック解除用ノブ６４の位置は、リバーシブルキーボード５が装着されていない状態と同じ位置となる。
【００５７】
一方、この状態で、本体側面１９から露出しているロック解除用ノブ６４を、スプリング６５の弾発力に対抗して後方側（Ｘ１方向）に摺動させると、図８（ｂ）に示すように、キーボード装着用凹部１１の後端面１１ｂから若干突出していたロック用爪６２が、キーボード装着用凹部１１の後端面１１ｂより、上キャビネット１ａ内に退没する。
【００５８】
図９及び図１０は、ポップアップ機構部８の構造を示しており、図９はキーボード装着用凹部１１を一部拡大した平面図、図１０（ａ），（ｂ）は、図９のＡ−Ａ線概略断面図である。
【００５９】
ポップアップ機構部８は、装置本体１のキーボード装着用凹部１１のほぼ中央部に設けられている。
【００６０】
すなわち、ポップアップ機構部８は、図１０に示すように、棒状のポップアップ本体部８１を備えており、その中央部に、鍔状に形成された当止片８２が形成されている。そして、この当止片８２より上部のポップアップ本体部８１が、リバーシブルキーボード５を押し上げる押上片８３となっており、当止片８２より下部のポップアップ本体部８１が、スプリング用突起片８４となっている。
【００６１】
また、ポップアップ機構部８の押上片８３と対向するキーボード装着用凹部１１には、押上片８３が挿通可能な貫通孔１１ｇが形成されている。
【００６２】
また、ポップアップ機構部８のスプリング用突起片８４と対向する下キャビネット１ｂには、スプリング８５を上端面で受け止めるスプリング用受け部１ｂ３が形成されており、このスプリング用受け部１ｂ３の上端面に、ポップアップ機構部８のスプリング用突起片８４を上下摺動可能（図１０中、Ｙ１及びＹ２方向）に挿入して保持する摺動凹部１ｂ４が形成されている。
【００６３】
すなわち、ポップアップ機構部８は、キーボード装着用凹部１１の貫通孔１１ｇに押上片８３を挿通し、スプリング８５を嵌合したスプリング用突起片８４をスプリング用受け部１ｂ３の摺動凹部１ｂ４に挿通することで、装置本体１に取り付けられている。
【００６４】
この状態において、スプリング８５は、ポップアップ本体部８１の当止片８２とスプリング用受け部１ｂ３の上端面とで挟持され、その弾発力によってポップアップ本体部８１を上方（図１０中Ｙ１方向）に押し上げている。一方、ポップアップ本体部８１は、スプリング８５の弾発力によって上方に押し上げられるが、当止片８２がキーボード装着用凹部１１の裏面側に当接することで、上方への移動が制限されるようになっており、かつ、装置本体１からの脱落も防止されている。
【００６５】
このような構成のポップアップ機構部８によれば、リバーシブルキーボード５が装着されていない状態、及びリバーシブルキーボード５がキーボード装着用凹部１１の上に単に載せられただけの状態では、図１０（ａ）に示すように、スプリング８５の弾発力によってポップアップ本体部８１がＹ１方向に付勢されており、押上片８３はキーボード装着用凹部１１の貫通孔１１ｇから上方に突出している。このときの突出距離は、キーゴム３３より十分高くなるように、押上片８３の長さが設定されている。
【００６６】
一方、この状態で、キーボード装着用凹部１１にリバーシブルキーボード５が完全に装着されると、リバーシブルキーボード５の表面側のキーキャビネット５２ａまたは裏面側のキーキャビネット５２ｂが、スプリング８５の弾発力に対抗してポップアップ本体部８１の押上片８３を下方側（Ｙ２方向）に摺動させる。これにより、ポップアップ本体部８１は、図１０（ｂ）に示すように、押上片８３がキーゴム３３とほぼ同じ高さまで押し込まれるとともに、スプリング用突起片８４がスプリング用受け部１ｂ３の摺動凹部１ｂ４内に深く押し込まれ、スプリング８５がさらに圧縮されることになる。
【００６７】
図１１ないし図１５は、上記構成のリバーシブルキーボード５を、上記構成のキーボード装着用凹部１１に装着するときの動作を示している。
【００６８】
まず最初に、図１１に示すように、リバーシブルキーボード５の第１検出突起部５７と、キーボード装着用凹部１１の第１開口部１２または第２開口部１３のいずれかと位置合わせを行う。つまり、リバーシブルキーボード５の表面側を上にして装着する場合には、図１に示すように、リバーシブルキーボード５の第１検出突起部５７を第２開口部１３に位置合わせし、リバーシブルキーボード５の裏面側を上にして装着する場合には、リバーシブルキーボード５の第１検出突起部５７を第１開口部１２に位置合わせする。
【００６９】
次に、この状態で、図１２に示すように、リバーシブルキーボード５の第１検出突起部５７を対向する開口部１２（または１３）に挿入し、リバーシブルキーボード５の後端面５ｂ側を、キーボード装着用凹部１１の後端面１１ｂ側に押し込む。
【００７０】
これにより、図１３に示すように、リバーシブルキーボード５の後端面５ｂがキーボード装着用凹部１１の後端面１１ｂに沿ってキーボード装着用凹部１１内に挿入され、その挿入過程で、リバーシブルキーボード５の後端面５ｂの角部が、ロック用爪６２を押圧して、ロック用爪６２を後方側（Ｘ１方向）に押し込み、ロック本体部６１全体が、後方側（Ｘ１方向）に摺動する。また、このようなリバーシブルキーボード５の挿入過程で、リバーシブルキーボード５の表面側のキーキャビネット５２ａまたは裏面側のキーキャビネット５２ｂが、ポップアップ本体部８１の押上片８３を押圧して、押上片を下方側（Ｙ２方向）に押し込み、ポップアップ本体部８１全体が、下方側（Ｙ２方向）に徐々に押し込まれていく。
【００７１】
そして、図１４に示すように、リバーシブルキーボード５がキーボード装着用凹部１１内に完全に嵌め込まれると、後方側に押し込まれていたロック用爪６２が、スプリング６５の弾発力によって、リバーシブルキーボード５の後端面５ｂに形成されたロック用凹部５９に嵌まり込む。これにより、キーボード装着用凹部１１に装着されたリバーシブルキーボード５を、キーボード装着用凹部１１内に固定することができる。また、リバーシブルキーボード５がキーボード装着用凹部１１に完全に装着固定された状態では、ポップアップ機構部８の押上片８３は、キーゴム３３とほぼ同じ高さまで押し込まれた状態となる。
【００７２】
図１５は、リバーシブルキーボード５がキーボード装着用凹部１１に装着されたときの、ロック用爪６２とロック用凹部５９との係合状態を拡大して示している。
【００７３】
また、図１５では、キーボード装着用凹部１１に装着されたリバーシブルキーボード５の左側のキートップ部５１ａが、キー入力を行うために押し下げられた状態となっており、導電部３３ａとキーパターン２１ａとが接触して導通し、スイッチが入っている状態となっている。これにより、押し下げされている左側のキートップ部５１ａに表記されている機能が動作する。
【００７４】
次に、装置本体１のキーボード装着用凹部１１に装着されたリバーシブルキーボード５の表面側と裏面側とを入れ替え交換するときの動作について説明する。入れ替えるときの動作は、上記で説明したリバーシブルキーボード５をキーボード装着用凹部１１に装着するときの動作と逆の動作となる。
【００７５】
すなわち、装置本体１のキーボード装着用凹部１１にリバーシブルキーボード５の表面側または裏面側を上に向けて装着し、キートップ部５１ａ（または５１ｂ）に表記されている演算機能を動作させているとき、途中で表面側または裏面側の反対側の演算機能が必要となった場合、まず、装置本体１の左右の側面１９に露出しているロック解除用ノブ６４，６４を、各スプリング６５，６５，６５の弾発力に対抗して後方側（Ｘ１方向）に摺動させると、図８（ｂ）に示すように、キーボード装着用凹部１１の後端面１１ｂから若干突出していたロック用爪６２が、キーボード装着用凹部１１の後端面１１ｂより、上キャビネット１ａ内に退没し、リバーシブルキーボード５の固定が解除される。
【００７６】
それと同時に、ポップアップ機構部８の押上片８３が、スプリング８５の弾発力によって上方（Ｙ１方向）に押し上げられ、リバーシブルキーボード５のキーキャビネット５２ａ（または５２ｂ）を押し上げる。これにより、リバーシブルキーボード５が強制的に浮き上がりポップアップされる。
【００７７】
この後、リバーシブルキーボード５の表裏を入れ替え、第１検出突起部５７とキーボード装着用凹部１１の第１開口部１２または第２開口部１３のいずれかとを位置合わせして，リバーシブルキーボード５をキーボード装着用凹部１１に装着する。リバーシブルキーボード５の装着については、図１２ないし図１４を参照して説明した通りである。
【００７８】
図１６は、リバーシブルキーボード５のキートップ部５１ａ，５１ｂの他の実施例を示している。すなわち、図５に示したキートップ部５１ａ，５１ｂは、それぞれ別体として形成されて、両キーキャビネット５２ａ，５２ｂ内に収納保持されているが、本実施例では、表面側のキートップ５１ａと裏面側のキートップ部５１ｂとが、例えば合成樹脂等によって一体成型されることにより、一体的に形成されたものである。これにより、両キートップ部５１ａ，５１ｂは一体となって、両キーキャビネット５２ａ，５２ｂ間を上下動することになり、キーを操作するときのがたつきを無くすことができる。
【００７９】
また、図１７及び図１８は、リバーシブルキーボード５のキートップ部５１ａ，５１ｂのさらに他の実施例を示している。すなわち、図５に示した別体のキートップ部５１ａ，５１ｂを、互いに嵌合することによって一体としたものである。
【００８０】
すなわち、例えば表面側のキートップ部５１ａの内面中央部に、底面開口部より若干下方に突出した直方体形状の嵌合突起部５１ａ１を形成し、裏面側のキートップ部５１ｂの内面中央部に、底面開口部側に向かって開口する嵌合凹部５１ｂ１を形成する。この嵌合凹部５１ｂ１の開口形状は、嵌合突起部５１ａ１が嵌まり込む形状とする。そして、両キートップ部５１ａ，５１ｂの底面開口部同士、すなわち両つば部５４，５４同士を合わせるようにして、両キートップ部５１ａ，５１ｂを両側から挟み込むように押圧すると、嵌合突起部５１ａ１が嵌合凹部５１ｂ１に強制嵌合される。これにより、両キートップ部５１ａ，５１ｂは一体となって、両キーキャビネット５２ａ，５２ｂ間を上下動することになり、キーを操作するときのがたつきを無くすことができる。
【００８１】
図１９及び図２０は、リバーシブルキーボード５の表面側と裏面側のキートップ部の数を異ならせて設けた実施例を示しており、図１９は、リバーシブルキーボード５をキーボード装着用凹部１１から取り外した状態を示す平面図、図２０（ａ）は、リバーシブルキーボード５の表面側を上にして装着したときの図１９に示すＥ−Ｅ線概略断面図、同図（ｂ）は、リバーシブルキーボード５の裏面側を上にして装着したときの図１９に示すＥ−Ｅ線概略断面図である。ただし、図１９には、取り外した状態のリバーシブルキーボード５が、表面側を上に向けた状態と、裏面側を上に向けた状態の２つの状態で示されている。
【００８２】
すなわち、本実施例のリバーシブルキーボード５は、図１９に示すように、リバーシブルキーボード５の表面側のキーキャビネット５２ａでは、左下にキートップ部５１ａＡとキートップ部５１ａＢの２個のキートップ部が設けられているのに対し、裏面側のキーキャビネット５２ｂでは、これらのキートップ部５１ａＡ，５１ａＢに対応する右下の箇所に１個のキートップ部５１ｂＡが設けられている。
【００８３】
そして、リバーシブルキーボード５の表面側のキートップ部５１ａを上に向けてキーボード装着用凹部１１に装着した状態を示す図２０（ａ）では、リバーシブルキーボード５の左側のキートップ部５１ａＡがキー入力を行うために押し下げられた状態となっており、裏面側のキートップ部５１ｂＡの左側が押し下げられて、導電部３３ａとキーパターン２１ａとが接触して導通し、キースイッチが入っている状態となっている。これにより、押し下げられている左側のキートップ部５１ａ１に表記されている演算機能が動作する。
【００８４】
一方、リバーシブルキーボード５の裏面側のキートップ部５１ｂを上に向けてキーボード装着用凹部１１に装着した状態を示す図２０（ｂ）では、リバーシブルキーボード５の右側のキートップ部５１ｂＡがキー入力を行うために押し下げられた状態となっており、これに対応する表面側の２個のキートップ部５１ａＡ，５１ａＢが同時に押し下げられて、導電部３３ａ，３３ａとキーパターン２１ａ，２１ａとが２個同時に接触して導通し、キースイッチが入っている状態となっている。これにより、押し下げられている右側のキートップ部５１ｂＡに表記されている演算機能が動作する。
【００８５】
このように、リバーシブルキーボード５の表面側と裏面側とでキートップ部の数を異ならせることで、操作者の趣向に配慮したり、操作性を向上させたりすることができる。
【００８６】
図２１は、図１９及び図２０に示すリバーシブルキーボード５のキートップ部５１ａＡ，５１ａＢ，５１ｂＡの他の実施例を示している。すなわち、図１９及び図２０に示したキートップ部５１ａＡ，５１ａＢ，５１ｂＡは、それぞれ別体として形成されて、両キーキャビネット５２ａ，５２ｂ内に収納保持されているが、本実施例では、表面側の２個のキートップ５１ａＡ，５１ａＢと裏面側の１個のキートップ部５１ｂＡとが、例えば合成樹脂等によって一体成型されることにより、一体的に形成されたものである。これにより、表面側の２個のキートップ部５１ａＡ，５１ａＢと裏面側の１個のキートップ部５１ｂＡとは一体となって、両キーキャビネット５２ａ，５２ｂ間を上下動することになり、キーを操作するときのがたつきを無くすことができる。
【００８７】
また、図２２は、図１９及び図２０に示すリバーシブルキーボード５のキートップ部５１ａＡ，５１ａＢ，５１ｂＡのさらに他の実施例を示している。すなわち、図１９及び図２０に示したキートップ部５１ａＡ，５１ａＢ，５１ｂＡは、それぞれ別体として形成されて、両キーキャビネット５２ａ，５２ｂ内に収納保持されているが、本実施例では、表面側の２個のキートップ部５１ａＡ，５１ａＢと、裏面側の１個のキートップ部５１ｂＡを、互いに嵌合することによって一体としたものである。このときの嵌合構造は、図１８に示した嵌合構造と同じであるので、ここでは説明を省略する。これにより、表面側の２個のキートップ部５１ａＡ，５１ａＢと裏面側の１個のキートップ部５１ｂＡとは一体となって、両キーキャビネット５２ａ，５２ｂ間を上下動することになり、キーを操作するときのがたつきを無くすことができる。
【００８８】
図３１は、上記実施の形態１の情報処理装置の電気的構成を示すブロック図、及びリバーシブルキーボードの機能ブロック図である。
【００８９】
この情報処理装置は、キー入力制御手段であるＣＰＵ１００、キー入力部１０１、液晶パネル等からなる表示部１０２、リバーシブルキーボード５の装着状態を検出する検出手段１０３、ＲＯＭ１０４、ＲＡＭ１０５からなり、これらの回路ブロックが装置本体１に収納されている。
【００９０】
ＣＰＵ１００は、格納されているプログラムに基づいて、情報処理装置全体を制御する。
【００９１】
キー入力部１０１は、図１に示すように、固定部として設けられた関数キー３１及びカーソルキー３２と、キーボード装着用凹部１１の底面に設けられたキーゴム３３とから構成され、所定のキーを操作することにより、処理コマンドをＣＰＵ１００に入力する。
【００９２】
表示部１０２は、ＣＰＵ１００から伝えられる制御信号により、表示動作を実行する。
【００９３】
検出手段１０３は、上記したように、リバーシブルキーボード５の装着状態を検出する第１検出スイッチ１５で構成され、検出した情報（オン、オフ情報）をＣＰＵ１００に入力する。
【００９４】
ＲＯＭ１０４は、情報処理装置の動作に必要なプログラム及び固定データを格納するとともに、固定部の関数キー３１及びカーソルキー３２、リバーシブルキーボード５の表面側及び裏面側の各関数キーやテンキー等の各キー信号パターンを格納している。
【００９５】
ＲＡＭ１０５は、情報処理装置の処理に必要なデータを一時的に記憶するものであり、キーの操作により入力された処理コマンドを格納している。また、検出手段１０３により検出された情報に基づき、現在のリバーシブルキーボード５の装着面のキー信号パターンもＲＯＭ１０４から転送されて格納される。
【００９６】
一方、リバーシブルキーボード５は、図３に示すように、表面側の関数キー５１１及びテンキー５１２と、裏面側の関数キー５１３及びテンキー５１４と、キーキャビネット５２ａ，５２ｂと、リバーシブルキーボード５の装着状態を検出する検出手段５０１とからなる。
【００９７】
検出手段５０１は、図１に示すように、リバーシブルキーボード５の表面側または裏面側のいずれの面を上に向けて装着されたかを検出するための第１検出突起部５７で構成され、リバーシブルキーボード５が装着されたことにより、伝えられた情報は、情報処理装置の検出手段１０３を通じてＣＰＵ１００に入力される。
【００９８】
次に、上記構成の情報処理装置において、リバーシブルキーボードを装置本体に装着したときの実行処理、及びリバーシブルキーボードの表裏の入れ替えを行ったときの実行処理を、図３２に示すフローチャートを参照して説明する。
【００９９】
まず、リバーシブルキーボード５をキーボード装着用凹部１１に装着する（ステップＳ１）。このときのリバーシブルキーボード５の装着は、図１１〜図１４の手順で行う。この後、図示は省略しているが、手動にて電源をオンにする（ステップＳ２）。これにより、ＲＯＭ１０４内に格納されているキーボード装着方向検出プログラムを起動する（ステップＳ３）。
【０１００】
キーボード装着方向検出プログラムを起動すると、次に、第１検出スイッチ１５がオンであるかオフであるかを確認する（ステップＳ４）。その結果、第１検出スイッチ１５がオフであれば、リバーシブルキーボード５がその表面側を上に向けて装着されていることになるので、表面側のキー信号パターン（オフ時のキー信号パターン）をＲＯＭ１０４から抽出する（ステップＳ５）。また、第１検出スイッチ１５がオンであれば、リバーシブルキーボード５がその裏面側を上に向けて装着されていることになるので、裏面側のキー信号パターン（オン時のキー信号パターン）をＲＯＭ１０４から抽出する（ステップＳ６）。
【０１０１】
そして、ステップＳ５またはステップＳ６にて抽出したキー信号パターンをＲＡＭ１０５に転送し（ステップＳ７）、リバーシブルキーボード５の装着状態に対応したキー信号パターンをＲＡＭ１０５に保存する（ステップＳ８）。
【０１０２】
この後、装着されたリバーシブルキーボード５のキー入力があれば（ステップＳ９でＹＥＳと判断されれば）、ＲＡＭ１０５内に格納されているキー信号パターンのキー信号を出力し（ステップＳ１０）、出力されたキー信号の処理を実行して（ステップＳ１１）、ステップＳ４に戻る。
【０１０３】
一方、リバーシブルキーボード５のキー入力がなければ（ステップＳ９でＮＯと判断されれば）、ステップＳ１２にて手動による電源ＯＦＦの有無を確認する。そして、手動による電源ＯＦＦでなければステップＳ４に戻り、手動により電源がＯＦＦされた場合には、電源をＯＦＦして（ステップＳ１３）、処理を終了する。
【０１０４】
なお、このような処理動作中において、ステップＳ３で起動したキーボード装着方向検出プログラムは、電源オン時は常時起動し、第１検出スイッチ１５の動作を監視することにより、演算途中におけるリバーシブルキーボード５の装着方向の変化を常時監視する。そして、状態の変化があるたびに、その変化に応じ、装着されたキーボードの表面側及び裏面側の入れ替え交換によるキー信号パターンの切り替え制御等を継続して行うようになっている。
【０１０５】
すなわち、本実施の形態１の情報処理装置では、手動により電源がＯＦＦされない限り、キー入力の処理を終了するたびにステップＳ４に戻って、第１検出スイッチ１５がオンであるかオフであるかの確認を行うようになっている。
【０１０６】
そのため、例えばキー入力の途中でリバーシブルキーボード５の表面と裏面との入れ替え交換が行われる間（すなわち、リバーシブルキーボード５がキーボード装着用凹部１１から取り外され、表裏を逆にして再びキーボード装着用凹部１１に装着される間）も、電源はオフされないので、入れ替え後のリバーシブルキーボードのキー入力による制御を継続することができるようになっている。
【０１０７】
以上が、実施の形態１の情報処理装置における処理動作の説明である。
【０１０８】
実施の形態１の情報処理装置では、リバーシブルキーボード５の表裏の入れ替え交換の作業中も、電源をＯＦＦしない構成としているため、リバーシブルキーボード５の入れ替え交換中に、リバーシブルキーボード５の角がキーゴム３３に当たってしまったり、操作者がキーゴム３３に不測に触れてしまった場合には、情報処理装置が誤動作を起こす可能性がある。
【０１０９】
そこで、次の実施の形態２では、このような誤動作を防止するために、リバーシブルキーボード５がキーボード装着用凹部１１から取り外されている間は、キー入力操作を無効とする構成としている。
【０１１０】
［実施の形態２］
図２３は、本実施の形態２に係わるリバーシブルキーボードを備えた情報処理装置を示しており、リバーシブルキーボードを取り外した状態の情報処理装置の外観斜視図である。ただし、図２３には、取り外した状態のリバーシブルキーボードが、表面側を上に向けた状態と、裏面側を上に向けた状態の２つの状態で示されている。
【０１１１】
本実施の形態２の情報処理装置と上記実施の形態１の情報処理装置との大きな相違点は、実施の形態１の情報処理装置が、単にリバーシブルキーボード５を表面側または裏面側を上に向けて装着することのみを検出するものであったのに対し、本実施の形態２の情報処理装置では、リバーシブルキーボード５のキーボード装着用凹部１１への装着の有無をも検出するようにした点である。そのため、実施の形態１では必要のなかったリバーシブルキーボード５の装着の有無の検出が、本実施の形態２では必要となり、そのための検出手段を追加した点が実施の形態１とは異なっている。なお、装置本体１及びリバーシブルキーボード５の基本的な構成は、上記実施の形態１の装置本体１及びリバーシブルキーボード５と同様であるので、同じ構成部分には同符号を付すこととし、詳細な説明は省略する。
【０１１２】
すなわち、本実施の形態２では、リバーシブルキーボード５の前端面５ａに、第１検出突起部５７に追加して、第２検出突起部５８が設けられている。この第２検出突起部５８は、リバーシブルキーボード５がキーボード装着用凹部１１に装着されたか否かを検出するための突起部であり、前端面５ａの左右方向の中央部に設けられている。
【０１１３】
一方、装置本体１のキーボード装着用凹部１１の前端面１１ａには、リバーシブルキーボード５に設けられた第２検出突起部５８が挿入される第３開口部１４が形成されている。そして、この第３開口部１４内に第２検出スイッチ１６が設けられている。すなわち、第２検出スイッチ１６とリバーシブルキーボード５の第２検出突起部５８とが、リバーシブルキーボード５の装着の有無を検出するために使用される。なお、第２検出スイッチ１６としては、プッシュスイッチやキースイッチの使用が可能である。
【０１１４】
すなわち、第２検出スイッチ１６と第２検出突起部５８とは、いずれも左右方向の中央部に設けられていることから、リバーシブルキーボード５をキーボード装着用凹部１１に装着するとき、リバーシブルキーボード５の表面側が上であっても、裏面側が上であっても、第２検出突起部５８が第２検出スイッチ１６を押し込んでオン状態とする。これにより、リバーシブルキーボード５がキーボード装着用凹部１１に装着されたことを常に検出することが可能となる。
【０１１５】
一方、第１検出スイッチ１５と第１検出突起部５７とは、左右方向の一方の側にのみ設けられている。そのため、リバーシブルキーボード５をキーボード装着用凹部１１に装着するとき、例えばリバーシブルキーボード５の表面側が上である場合には、第１検出突起部５７がキーボード装着用凹部１１の前端面１１ａの左側に位置して、第２開口部１３に挿入され、第１検出スイッチ１５はオフ状態のままである。一方、リバーシブルキーボード５の裏面側が上である場合には、第１検出突起部５７がキーボード装着用凹部１１の前端面１１ａの右側に位置して、第１開口部１２に挿入され、第１検出スイッチ１５はオン状態となる。
【０１１６】
従って、この第１検出スイッチ１５のオン、オフ状態によって、リバーシブルキーボード５の装着状態を検出することができる。
【０１１７】
すなわち、第２検出スイッチ１６がオン状態であって、かつ、第１検出スイッチ１５がオフ状態のとき、リバーシブルキーボード５が表面側を上にしてキーボード装着用凹部１１に装着されていることになり、第２検出スイッチ１６がオン状態であって、かつ、第１検出スイッチ１５がオン状態のとき、リバーシブルキーボード５が裏面側を上にしてキーボード装着用凹部１１に装着されていることになる。
【０１１８】
図３３は、上記実施の形態２の情報処理装置の電気的構成を示すブロック図、及びリバーシブルキーボードの機能ブロック図である。
【０１１９】
この情報処理装置は、キー入力制御手段であるＣＰＵ１００、キー入力部１０１、液晶パネル等からなる表示部１０２、リバーシブルキーボード５の装着状態を検出する検出手段１０３、ＲＯＭ１０４、ＲＡＭ１０５からなり、これらの回路ブロックが装置本体１に収納されている。
【０１２０】
ＣＰＵ１００は、格納されているプログラムに基づいて、情報処理装置全体を制御する。
【０１２１】
キー入力部１０１は、図１に示すように、固定部として設けられた関数キー３１及びカーソルキー３２と、キーボード装着用凹部１１の底面に設けられたキーゴム３３とから構成され、所定のキーを操作することにより、処理コマンドをＣＰＵ１００に入力する。
【０１２２】
表示部１０２は、ＣＰＵ１００から伝えられる制御信号により、表示動作を実行する。
【０１２３】
検出手段１０３は、上記したように、リバーシブルキーボード５の装着状態を検出する第１検出スイッチ１５と、リバーシブルキーボード５の装着の有無を検出する第２検出スイッチ１６とから構成され、検出した情報（オン、オフ情報）をＣＰＵ１００に入力する。
【０１２４】
ＲＯＭ１０４は、情報処理装置の動作に必要なプログラム及び固定データを格納するとともに、固定部の関数キー３１及びカーソルキー３２、リバーシブルキーボード５の表面側及び裏面側の各関数キーやテンキー等の各キー信号パターンを格納している。
【０１２５】
ＲＡＭ１０５は、情報処理装置の処理に必要なデータを一時的に記憶するものであり、キーの操作により入力された処理コマンドを格納している。また、検出手段１０３により検出された情報に基づき、現在のリバーシブルキーボード５の装着面のキー信号パターンもＲＯＭ１０４から転送されて格納される。
【０１２６】
一方、リバーシブルキーボード５は、図２３に示すように、表面側の関数キー５１１及びテンキー５１２と、裏面側の関数キー５１３及びテンキー５１４と、キーキャビネット５２ａ，５２ｂと、リバーシブルキーボード５の装着状態を検出する検出手段５０１とからなる。
【０１２７】
検出手段５０１は、図２３に示すように、リバーシブルキーボード５の表面側または裏面側のいずれの面を上に向けて装着されたかを検出するための第１検出突起部５７と、リバーシブルキーボード５がキーボード装着用凹部１１に装着されたか否かを検出するための第２検出突起部５５とから構成され、リバーシブルキーボード５が装着されたことにより、伝えられた情報は、情報処理装置の検出手段１０３を通じてＣＰＵ１００に入力される。
【０１２８】
次に、上記構成の情報処理装置において、リバーシブルキーボードを装置本体に装着したときの実行処理、及びリバーシブルキーボードの表裏の入れ替えを行ったときの実行処理を、図３４に示すフローチャートを参照して説明する。
【０１２９】
まず、リバーシブルキーボード５をキーボード装着用凹部１１に装着する（ステップＳ３１）。このときのリバーシブルキーボード５の装着も、上記実施の形態１の場合と同様、図１１〜図１４の手順で行う。この後、図示は省略しているが、手動にて電源をオンにする（ステップＳ２）。これにより、ＲＯＭ１０４内に格納されているキーボード検出プログラムを起動する（ステップＳ３３）。
【０１３０】
キーボード検出プログラムを起動すると、次に、第２検出スイッチ１６がオンであるかオフであるかを確認する（ステップＳ３４）。その結果、第２検出スイッチ１６がオンであれば、ＲＯＭ１０４内に格納されているキーボード装着方向検出プログラムを起動する（ステップＳ３５）。一方、第２検出スイッチ１６が装着忘れや装着ミスなどでオフであれば、ステップＳ３４からステップＳ３３に戻り、キーボード検出プログラムの起動から再度やり直すことになる。
【０１３１】
キーボード装着方向検出プログラムを起動すると、次に、第１検出スイッチ１５がオンであるかオフであるかを確認する（ステップＳ３６）。その結果、第１検出スイッチ１５がオフであれば、リバーシブルキーボード５がその表面側を上に向けて装着されていることになるので、表面側のキー信号パターン（オフ時のキー信号パターン）をＲＯＭ１０４から抽出する（ステップＳ３７）。また、第１検出スイッチ１５がオンであれば、リバーシブルキーボード５がその裏面側を上に向けて装着されていることになるので、裏面側のキー信号パターン（オン時のキー信号パターン）をＲＯＭ１０４から抽出する（ステップＳ３８）。
【０１３２】
そして、ステップＳ３７またはステップＳ３８にて抽出したキー信号パターンをＲＡＭ１０５に転送し（ステップＳ３９）、リバーシブルキーボード５の装着状態に対応したキー信号パターンをＲＡＭ１０５に保存する（ステップＳ４０）。
【０１３３】
この後、装着されたリバーシブルキーボード５のキー入力があれば（ステップＳ４１でＹＥＳと判断されれば）、ＲＡＭ１０５内に格納されているキー信号パターンのキー信号を出力し（ステップＳ４２）、出力されたキー信号の処理を実行し（ステップＳ４３）ステップＳ３４に戻る。
【０１３４】
一方、リバーシブルキーボード５のキー入力がなければ（ステップＳ４１でＮＯと判断されれば）、ステップＳ４４にて手動による電源ＯＦＦの有無を確認する。そして、手動による電源ＯＦＦでなければステップＳ３４に戻り、手動により電源がＯＦＦされた場合には、電源をＯＦＦして（ステップＳ４５）、処理を終了する。
【０１３５】
なお、このような処理動作中において、ステップＳ３３で起動したキーボード検出プログラム及びステップＳ３５で起動したキーボード装着方向検出プログラムは、電源オン時は常時起動し、第１検出スイッチ１５及び第２検出スイッチ１６の動作を監視することにより、演算途中におけるリバーシブルキーボード５の装着の有無や装着方向の変化を常時監視する。そして、状態の変化があるたびに、その変化に応じ、装着されたキーボードの表面側及び裏面側の入れ替え交換によるキー信号パターンの切り替え制御等を継続して行うようになっている。
【０１３６】
すなわち、本実施の形態２の情報処理装置では、手動により電源がＯＦＦされない限り、キー入力の処理を終了するたびにステップＳ３４に戻って、第２検出スイッチ１６がオンであるかオフであるかの確認を行うようになっている。
【０１３７】
そのため、例えばキー入力の途中でリバーシブルキーボード５の表面と裏面との入れ替え交換が行われる間（すなわち、リバーシブルキーボード５がキーボード装着用凹部１１から取り外され、表裏を逆にして再びキーボード装着用凹部１１に装着される間）も、電源はオフされないので、入れ替え後のリバーシブルキーボードのキー入力による制御を継続することができるようになっている。
【０１３８】
以上が、実施の形態２の情報処理装置における処理動作の説明である。
【０１３９】
［実施の形態３］
図２４ないし図２６は、本実施の形態３に係わるリバーシブルキーボードを備えた情報処理装置を示しており、図２４は、リバーシブルキーボードを取り外した状態の情報処理装置の外観斜視図、図２５はリバーシブルキーボードを装着した状態の情報処理装置の外観斜視図、図２６は、図２５に示す装着状態を説明するための平面図及び縦断面図である。ただし、図２４には、取り外した状態のリバーシブルキーボードが、表面側を上に向けた状態と、裏面側を上に向けた状態の２つの状態で示されており、図２４には、リバーシブルキーボードを取り外した状態の装置本体の正面図とリバーシブルキーボードを装着した状態の情報処理装置の縦断面図及び正面図とが示されている。
【０１４０】
本実施の形態３の情報処理装置と上記実施の形態１の情報処理装置との大きな相違点は、実施の形態１の情報処理装置が、リバーシブルキーボード５を表面側または裏面側のいずれの面を上に向けて装着したのかを検出する第１検出スイッチ１５及び第１検出突起部５７が必要であったのに対し、本実施の形態３の情報処理装置では、これらを不要とした点である。なお、装置本体１及びリバーシブルキーボード５の基本的な構成は、上記実施の形態１の装置本体１及びリバーシブルキーボード５と同様であるので、同じ構成部分には同符号を付すこととし、詳細な説明は省略する。
【０１４１】
すなわち、本実施の形態３では、図２４に示すように、リバーシブルキーボード５の前端面５ａには突起部は設けられておらず、装置本体１のキーボード装着用凹部１１の前端面１１ａにも、開口部や検出スイッチ等は設けられていない。
【０１４２】
その代わりとして、本実施の形態３では、リバーシブルキーボード５の１つの開口部内に収納保持された表面側のキートップ部５１ａの位置と、裏面側のキートップ部５１ｂの位置とを、開口部内において上下に対向しないようにずらせて設けた構成としている。また、これに対応して、装置本体１のキーボード装着用凹部１１内に設けられているキーゴム３３も、リバーシブルキーボード５を表面側を上に向けて装着したときに各キートップ部５１ａが対向する位置と、裏面側を上に向けて装着したときに各キートップ部５１ｂが対向する位置の全ての位置に配置されている。なお、図２４では、これらの位置関係を分かり易くするために、裏面側のキートップ部５１ｂと、この裏面側のキートップ部５１ｂが上下に対向するキーボード装着用凹部１１内のキーゴム３３とを、黒塗りで示している。
【０１４３】
図２７は、キートップ部５１ａ，５１ｂの一実施例を示している。
【０１４４】
キートップ部５１ａ，５１ｂは、上記実施の形態１の場合と同様に、それぞれ別体として両キーキャビネット５２ａ，５２ｂ内に収納保持されていてもよいが、本実施例では、表面側のキートップ５１ａと裏面側のキートップ部５１ｂとが、例えば合成樹脂等によって一体成型されることにより、一体的に形成されたものである。これにより、表面側のキートップ部５１ａと裏面側のキートップ部５１ｂとは一体となって、両キーキャビネット５２ａ，５２ｂ間を上下動することになり、キーを操作するときのがたつきを無くすことができる。
【０１４５】
また、図２８は、キートップ部５１ａ，５１ｂのさらに他の実施例を示している。すなわち、表面側のキートップ部５１ａと、裏面側のキートップ部５１ｂを、互いに嵌合することによって一体としたものである。このときの嵌合構造は、図１８に示した嵌合構造と同じであるので、ここでは説明を省略する。これにより、表面側のキートップ部５１ａと裏面側のキートップ部５１ｂとは一体となって、両キーキャビネット５２ａ，５２ｂ間を上下動することになり、キーを操作するときのがたつきを無くすことができる。
【０１４６】
図３５は、上記実施の形態３の情報処理装置の電気的構成を示すブロック図、及びリバーシブルキーボードの機能ブロック図である。
【０１４７】
この情報処理装置は、実質的に、図３１に示す実施の形態１の情報処理装置の構成と同じであり、違うところは、図３１に示す情報処理装置側の検出手段１０３とリバーシブルキーボード５側の検出手段５０１はが省略されている点のみである。従って、同じ機能ブロックには同符号を付すこととし、ここでは回路ブロック及び機能ブロックの説明を省略する。
【０１４８】
次に、上記構成の情報処理装置において、リバーシブルキーボードを装置本体に装着したときの実行処理を、図３６に示すフローチャートを参照して説明する。なお、リバーシブルキーボードの表裏の入れ替えを行ったときの実行処理は、上記実施の形態１及び実施の形態２と同様であるので、ここでは説明を省略する。
【０１４９】
まず、リバーシブルキーボード５をキーボード装着用凹部１１に装着する（ステップＳ５１）。このときのリバーシブルキーボード５の装着は、図１１〜図１４の手順で行う。この後、図示は省略しているが、手動にて電源をオンにする（ステップＳ５２）。
【０１５０】
そして、装着されたリバーシブルキーボード５からキー入力があれば（ステップＳ５３でＹＥＳと判断されれば）、ＲＡＭ１０５内に格納されているキーボードの現在の装着面のキー信号パターンを出力し（ステップＳ５４）、出力されたキー信号の処理を実行して（ステップＳ５５）、ステップＳ５３に戻る。
【０１５１】
一方、リバーシブルキーボード５のキー入力がなければ（ステップＳ５３でＮＯと判断されれば）、ステップＳ５６にて手動による電源ＯＦＦの有無を確認する。そして、手動による電源ＯＦＦでなければステップＳ５３に戻り、手動により電源がＯＦＦされた場合には、電源をＯＦＦして（ステップＳ５７）、処理を終了する。
【０１５２】
以上が、実施の形態３の情報処理装置における処理動作の説明である。
【０１５３】
［実施の形態４］
図２９は、本実施の形態４に係わるリバーシブルキーボードを備えた情報処理装置を示しており、リバーシブルキーボードを取り外した状態の情報処理装置の外観斜視図である。ただし、図２９には、取り外した状態のリバーシブルキーボード５Ａ，５Ｂが、表面側を上に向けた状態と、裏面側を上に向けた状態の２つの状態で示されている。
【０１５４】
装置本体１及びリバーシブルキーボード５Ａ，５Ｂの基本的な構成は、上記実施の形態１の装置本体１及びリバーシブルキーボード５と同様である。従って、実施の形態１の装置本体１及びリバーシブルキーボード５と同じ構成の部分については同符号を付すこととし、詳細な説明を省略する。
【０１５５】
すなわち、本実施の形態４では、装置本体１のキーボード装着用凹部１１の前端面１１ａに、第１検出スイッチ１５に隣接して、リバーシブルキーボード５の種類を検出する第３検出スイッチ１７が追加されている。
【０１５６】
一方、１つ目のリバーシブルキーボード５Ａは、上記実施の形態１のリバーシブルキーボード５と全く同じ構成であるが、追加された２つ目のリバーシブルキーボード５Ｂは、その前端面５Ｂａに、キーボードの種類を検出するための第３検出突起部７０と第４検出突起部７１とが追加されている。第３検出突起部７０は、第１検出突起部５７と同じ側に隣接して設けられ、第４検出突起部７１は、第１検出突起部５７を挟んで第３検出突起部７０とは反対側の対称位置に設けられている。
【０１５７】
すなわち、第３検出突起部７０と第４検出突起部７１とは、左右方向の対称位置に設けられていることから、リバーシブルキーボード５Ｂをキーボード装着用凹部１１に装着するとき、リバーシブルキーボード５Ｂの表面側が上であっても、裏面側が上であっても、第３検出突起部７０または第４検出突起部７１のいずれかが第３検出スイッチ１７を押し込んでオン状態とする。
【０１５８】
一方、リバーシブルキーボード５Ａには、第３検出スイッチ１７をオン状態とする突起部（第３検出突起部７０及び第４検出突起部７１）が設けられていないので、リバーシブルキーボード５Ａをキーボード装着用凹部１１に装着しても、第３検出スイッチ１７はオフ状態のままである。これにより、情報処理装置は、リバーシブルキーボードの種類、すなわち、リバーシブルキーボード５Ａが装着されているのか、リバーシブルキーボード５Ｂが装着されているのかを検出することが可能となる。
【０１５９】
図３７は、上記実施の形態４の情報処理装置の電気的構成を示すブロック図、及びリバーシブルキーボードの機能ブロック図である。
【０１６０】
本実施の形態４の情報処理装置は、図３１に示す実施の形態１の情報処理装置に、第３検出スイッチ１７と、第３検出突起部７０及び第４検出突起部７１とが追加された構成となっている。そのため、実施の形態１の情報処理装置の構成と同じ構成については同符号を付すこととし、詳細な説明を省略する。ただし、ＲＯＭ１０４には、１つ目のリバーシブルキーボード５Ａの表面側及び裏面側のキー信号パターンの他に、２つ目のリバーシブルキーボード５Ｂの表面側及び裏面側のキー信号パターンも格納されている。
【０１６１】
次に、上記構成の情報処理装置における処理動作について、図３８に示すフローチャートを参照して説明する。
【０１６２】
実施の形態４における処理動作と、実施の形態１における処理動作との違いは、リバーシブルキーボードの装着時に、第３検出スイッチ１７のオン、オフ状態を検出することにより、装着されているリバーシブルキーボードの種類も検出する点であり、その他の処理動作は、実施の形態１における処理動作と同様である。従って、ここでは異なる処理動作についてのみ説明する。
【０１６３】
すなわち、図３２に示すステップＳ２において、手動による電源がＯＮされた場合には、次に、第３検出スイッチ１７のオン、オフ状態を確認して、装着されているリバーシブルキーボードの種類を確認する（ステップＳ８１）。その結果、第３検出スイッチ１７がオン状態である場合には、装着されているリバーシブルキーボードが２つ目のリバーシブルキーボード５Ｂであると判断する（ステップＳ８２）。一方、第３検出スイッチ１７がオフ状態である場合には、装着されているリバーシブルキーボードが１つ目のリバーシブルキーボード５Ａであると判断する（ステップＳ８３）。
【０１６４】
そして、ステップＳ８４へと動作を進め、ＲＯＭ１０４内に格納されているキーボード装着方向検出プログラムを起動する。
【０１６５】
キーボード装着方向検出プログラムを起動すると、次に、第１検出スイッチ１５がオンであるかオフであるかを確認する（ステップＳ８５）。その結果、第１検出スイッチ１５がオフであれば、リバーシブルキーボードがその表面側を上に向けて装着されていることになるので、先のステップＳ８１で検出した種類のリバーシブルキーボード５Ａまたは５Ｂの表面側のキー信号パターン（オフ時のキー信号パターン）をＲＯＭ１０４から抽出する（ステップＳ８６）。また、第１検出スイッチ１５がオンであれば、リバーシブルキーボードがその裏面側を上に向けて装着されていることになるので、先のステップＳ８１で検出した種類のリバーシブルキーボード５Ａまたは５Ｂの裏面側のキー信号パターン（オン時のキー信号パターン）をＲＯＭ１０４から抽出する（ステップＳ８７）。その後の処理は、図３２に示すステップＳ７以降の処理となる。
【０１６６】
なお、このような処理動作中において、ステップＳ８４で起動したキーボード装着方向検出プログラムは、電源オン時は常時起動し、第１検出スイッチ１５及び第３検出スイッチ１７の動作を監視することにより、演算途中におけるリバーシブルキーボード５Ａ，５Ｂの装着状態の変化を常時監視する。そして、状態の変化があるたびに、その変化に応じ、装着されたキーボードの種類の切り替え制御や、表面側及び裏面側の入れ替え交換によるキー信号パターンの切り替え制御を継続して行うようになっている。
【０１６７】
［実施の形態５］
図３０は、本実施の形態５に係わるリバーシブルキーボードを備えた情報処理装置を示しており、リバーシブルキーボードを取り外した状態の情報処理装置の外観斜視図である。ただし、図３０には、取り外した状態のリバーシブルキーボード５Ａ１，５Ｂ１が、表面側を上に向けた状態と、裏面側を上に向けた状態の２つの状態で示されている。
【０１６８】
装置本体１及びリバーシブルキーボード５Ａ１，５Ｂ１の基本的な構成は、上記実施の形態３の装置本体１及びリバーシブルキーボード５と同様である。従って、実施の形態３の装置本体１及びリバーシブルキーボード５と同じ構成の部分については同符号を付すこととし、詳細な説明を省略する。
【０１６９】
すなわち、本実施の形態５では、装置本体１のキーボード装着用凹部１１の前端面１１ａの中央部に、リバーシブルキーボード５Ａ１，５Ｂ１の種類を検出する第４検出スイッチ１８が追加されている。
【０１７０】
一方、１つ目のリバーシブルキーボード５Ａ１は、上記実施の形態１のリバーシブルキーボード５と全く同じ構成であるが、追加された２つ目のリバーシブルキーボード５Ｂ１は、その前端面５Ｂａの中央部に、キーボードの種類を検出するための第４検出突起部７７が追加されている。
【０１７１】
すなわち、第４検出突起部７７は、左右方向の対称位置（中央部）に設けられていることから、リバーシブルキーボード５Ｂ１をキーボード装着用凹部１１に装着するとき、リバーシブルキーボード５Ｂ１の表面側が上であっても、裏面側が上であっても、第４検出突起部７７を押し込んでオン状態とする。
【０１７２】
一方、リバーシブルキーボード５Ａには、第４検出スイッチ１８をオン状態とする突起部（第４検出突起部７７）が設けられていないので、リバーシブルキーボード５Ａ１をキーボード装着用凹部１１に装着しても、第４検出スイッチ１８はオフ状態のままである。これにより、情報処理装置は、リバーシブルキーボードの種類、すなわち、リバーシブルキーボード５Ａ１が装着されているのか、リバーシブルキーボード５Ｂ１が装着されているのかを検出することが可能となる。
【０１７３】
図３９は、上記実施の形態５の情報処理装置の電気的構成を示すブロック図、及びリバーシブルキーボードの機能ブロック図である。
【０１７４】
本実施の形態５の情報処理装置は、図３５に示す実施の形態３の情報処理装置に、第４検出スイッチ１８が追加された構成となっている。そのため、実施の形態３の情報処理装置の構成と同じ構成については同符号を付すこととし、詳細な説明を省略する。ただし、ＲＯＭ１０４には、１つ目のリバーシブルキーボード５Ａ１の表面側及び裏面側のキー信号パターンの他に、２つ目のリバーシブルキーボード５Ｂ１の表面側及び裏面側のキー信号パターンも格納されている。
【０１７５】
次に、上記構成の情報処理装置における処理動作について、図４０に示すフローチャートを参照して説明する。
【０１７６】
実施の形態５における処理動作と、実施の形態３における処理動作との違いは、リバーシブルキーボードの装着時に、第４検出スイッチ１８のオン、オフ状態を検出することにより、装着されているリバーシブルキーボードの種類も検出する点である。
【０１７７】
まず、リバーシブルキーボード５をキーボード装着用凹部１１に装着する（ステップＳ６１）。このときのリバーシブルキーボード５の装着は、図１１〜図１４の手順で行う。この後、図示は省略しているが、手動にて電源をオンにする（ステップＳ６２）。これにより、ＲＯＭ１０４内に格納されているキーボード種類判別プログラムを起動する（ステップＳ６３）。
【０１７８】
キーボード種類判別プログラムを起動すると、次に、第４検出スイッチ１８のオン、オフ状態を確認して、装着されているリバーシブルキーボードの種類を確認する（ステップＳ６４）。その結果、第４検出スイッチ１８がオン状態である場合には、装着されているリバーシブルキーボードが２つ目のリバーシブルキーボード５Ｂ１であると判断し（ステップＳ６６）、検出した種類のリバーシブルキーボード５Ｂ１の表面側及び裏面側のキー信号パターンをＲＯＭ１０４から抽出し（ステップＳ６７）、ＲＡＭ１０５に転送して保存する（ステップＳ６８）。
【０１７９】
一方、第４検出スイッチ１８がオフ状態である場合には、装着されているリバーシブルキーボードが１つ目のリバーシブルキーボード５Ａ１であると判断し（ステップＳ６５）、検出した種類のリバーシブルキーボード５Ａ１の表面側及び裏面側のキー信号パターンをＲＯＭ１０４から抽出し（ステップＳ６７）、ＲＡＭ１０５に転送して保存する（ステップＳ６８）。
【０１８０】
この後、装着されたリバーシブルキーボード５Ａ１または５Ｂ１のキー入力があれば（ステップＳ６９でＹＥＳと判断されれば）、ＲＡＭ１０５内に格納されているキー信号パターンのキー信号を出力し（ステップＳ７０）、出力されたキー信号の処理を実行して（ステップＳ７１）、ステップＳ６４に戻る。
【０１８１】
一方、リバーシブルキーボード５Ａ１または５Ｂ１のキー入力がなければ（ステップＳ６９でＮＯと判断されれば）、ステップＳ７２にて手動による電源ＯＦＦの有無を確認する。そして、手動による電源ＯＦＦでなければステップＳ６４に戻り、手動により電源がＯＦＦされた場合には、電源をＯＦＦして（ステップＳ７３）、処理を終了する。
【０１８２】
なお、このような処理動作中において、ステップＳ６３で起動したキーボード種類判別プログラムは、電源オン時は常時起動し、第４検出スイッチ１８の動作を監視することにより、演算途中におけるリバーシブルキーボード５Ａ１，５Ｂ１の種類の変化を常時監視する。そして、リバーシブルキーボード５Ａ１，５Ｂ１の入れ替え交換による種類の変化があるたびに、その変化に応じ、装着されたキーボードの種類の切り替え制御を継続して行うようになっている。
【０１８３】
【発明の効果】
本発明のリバーシブルキーボードは、キースイッチ部を押し下げするキートップ部と、このキートップ部を収納保持する開口部を有するキーキャビネットとからなり、開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なるように構成している。これにより、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。
【０１８４】
また、１つの開口部に収納保持された表面側キートップ部の数を例えば１個とし、裏面側キートップ部の数を例えば２個としておけば、リバーシブルキーボードを表裏反転させてキースイッチ部に装着したときに、より多種多様なキー入力制御が可能となる。
【０１８５】
この場合、表面側キートップ部と裏面側キートップ部とは、樹脂等により一体的に形成されて開口部に収納保持されていてもよい。これにより、部品点数を削減することができるとともに、リバーシブルキーボードの製造も簡単なものとなる。また、表面側のキートップ部と裏面側のキートップ部とは一体となって、両キーキャビネット間を上下動することになり、キーを操作するときのがたつきを無くすことができる。
【０１８６】
また、表面側キートップ部と裏面側キートップ部とが個別に形成されるとともに、互いに嵌め合わせることによって一体に連結されて開口部に収納保持されていてもよい。これにより、表面側のキートップ部と裏面側のキートップ部とは一体となって、両キーキャビネット間を上下動することになり、キーを操作するときのがたつきを無くすことができる。
【０１８７】
また、本発明のリバーシブルキーボードは、キースイッチ部を押し下げするキートップ部と、このキートップ部を収納保持する開口部を有するキーキャビネットとからなり、開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部の突出部と裏面側キートップ部の突出部とをずらせて設けた構成としている。これにより、リバーシブルキーボードを例えば表面側を上に向けた状態から、裏面側を上に向けた状態に入れ替えたとき、装置本体のキースイッチ部に当接するキートップ部の位置が異なることになる。そのため、キースイッチ部に、表面側キートップ部及び裏面側キートップ部のそれぞれの当接位置に対応してキーパターンを予め形成しておけば、リバーシブルキーボードがどちらの面を上に向けて装着されているのかを検出しなくても、装着されたリバーシブルキーボードに対応したキー入力制御を行うことができる。つまり、リバーシブルキーボードがどちらの面を上に向けて装着されているのかを検出する検出手段が不要となる。
【０１８８】
また、本発明の情報処理装置は、リバーシブルキーボードと、キースイッチ部に装着されたリバーシブルキーボードの装着面側方向に応じてキー入力による制御機能を切り替えるキー入力制御手段とを備え、キー入力制御手段は、キー入力の途中でリバーシブルキーボードの表面と裏面との入れ替えが行われた後のリバーシブルキーボードのキー入力による制御を継続する構成としている。これにより、リバーシブルキーボードを例えば表面側を上に向けてキースイッチ部に装着した状態でキー入力を行っている途中で、リバーシブルキーボードをキースイッチ部から一旦取り外して表裏を入れ替えても、電源がオン状態であるので、それまでの入力を有効として、その後のキー入力制御を継続することができる。
【０１８９】
また、本発明の情報処理装置は、キースイッチ部へのリバーシブルキーボードの装着の有無を検出する第１検出手段をさらに備え、キー入力制御手段は、第１検出手段によりリバーシブルキーボードがキースイッチ部に装着されていないことを検出している場合には、キー入力の制御を停止する構成としている。これにより、リバーシブルキーボードがキースイッチ部に装着されていないときには、一切のキー入力を受け付けないので、操作者の意図しない不測の誤ったキー入力を確実に防止することができる。
【０１９０】
また、本発明の情報処理装置は、リバーシブルキーボードのどちらの面を上に向けて装着されたかを検出する第２検出手段をさらに備え、キー入力制御手段は、第２検出手段の検出結果に基づき、装着されたリバーシブルキーボードの装着方向に応じてキー入力による制御機能を切り替える構成としている。これにより、着脱可能なリバーシブルキーボードの表面側と裏面側とを使い分けることにより、キー入力機能を拡張した情報処理装置を提供することができる。
【０１９１】
また、本発明の情報処理装置は、リバーシブルキーボードを２種類以上有するとともに、これらリバーシブルキーボードの種類を検出する第３検出手段を備え、キー入力制御手段は、第２検出手段及び第３検出手段の検出結果に基づき、装着されたリバーシブルキーボードの種類と装着方向とに応じてキー入力による制御機能を切り替える構成としている。このように、リバーシブルキーボードを複数用意することで、より多様なキー入力制御を行うことができる。
【０１９２】
また、本発明の情報処理装置は、キースイッチ部に装着されたリバーシブルキーボードをロックするロック機構部を装置本体に設けるとともに、このロック機構部のロックを解除する解除ボタンを装置本体の外面に露出して設けた構成としている。このように、ロック機構部を設けることによって、キーボードを操作中に、リバーシブルキーボードが装置本体から不測に外れるといった事態を確実に防止することができる。また、リバーシブルキーボードの操作面を入れ替える場合には、解除ボタンを操作することによってロックを解除することができる。さらに、この解除ボタンは、装置本体の外面に設けられており、キーボードの操作面にはないことから、キーボードを操作中に誤って解除ボタンに触れる心配がない。そのため、リバーシブルキーボードが装置本体から不測に外れてしまうといった事態も発生しない。
【０１９３】
また、本発明の情報処理装置は、リバーシブルキーボードをキースイッチ部から押し上げる押上手段を装置本体に設けるとともに、解除ボタンによりロック機構部のロックを解除したとき、押上手段によりリバーシブルキーボードがキースイッチ部から押し上げられる構成としている。これにより、解除ボタンを操作してロック機構部を解除したとき、押上手段に押し上げられてリバーシブルキーボードがキースイッチ部から浮き上がるので、リバーシブルキーボードの表裏の入れ替え交換作業を容易に行うことができる。
【図面の簡単な説明】
【図１】本発明に係わるリバーシブルキーボードを備えた情報処理装置の実施の形態１を示しており、リバーシブルキーボードを取り外した状態の情報処理装置の外観斜視図である。
【図２】リバーシブルキーボードを装着した状態の情報処理装置の外観斜視図である。
【図３】リバーシブルキーボードを装着した状態の情報処理装置の外観斜視図である。
【図４】図３に示す装置本体のＡ−Ａ線概略断面図である。
【図５】図３に示すリバーシブルキーボード５のＢ−Ｂ線概略断面図である。
【図６】キーボード装着用凹部を一部拡大した、ロック機構部の構造を示す平面図である。
【図７】装置本体を後部を一部拡大して示す側面図である。
【図８】（ａ），（ｂ）は、図６に示すＣ−Ｃ線概略断面図である。
【図９】キーボード装着用凹部を一部拡大した、ホップアップ機構部の構造を示す平面図である。
【図１０】（ａ），（ｂ）は、図９に示すＤ−Ｄ線概略断面図である。
【図１１】リバーシブルキーボードをキーボード装着用凹部に装着するときの動作を示す側面より見た概略断面図である。
【図１２】リバーシブルキーボードをキーボード装着用凹部に装着するときの動作を示す側面より見た概略断面図である。
【図１３】リバーシブルキーボードをキーボード装着用凹部に装着するときの動作を示す側面より見た概略断面図である。
【図１４】リバーシブルキーボードをキーボード装着用凹部に装着するときの動作を示す側面より見た概略断面図である。
【図１５】リバーシブルキーボードがキーボード装着用凹部に装着されたときの、ロック用爪とロック用凹部との係合状態を拡大して示す概略断面図である。
【図１６】リバーシブルキーボードのキートップ部の他の実施例を示す概略断面図である。
【図１７】リバーシブルキーボードのキートップ部のさらに他の実施例を示す概略断面図である。
【図１８】図１７に示すリバーシブルキーボードのキートップ部の斜視図である。
【図１９】リバーシブルキーボードの表面側と裏面側のキートップ部の数を異ならせて設けた実施例を示しており、リバーシブルキーボードをキーボード装着用凹部から取り外した状態を示す平面図である。
【図２０】（ａ）は、リバーシブルキーボードの表面側を上にして装着したときの図１９に示すＥ−Ｅ線概略断面図、（ｂ）は、リバーシブルキーボードの裏面側を上にして装着したときの図１９に示すＥ−Ｅ線概略断面図である。
【図２１】図１９及び図２０に示すリバーシブルキーボードのキートップ部の他の実施例を示す斜視図である。
【図２２】図１９及び図２０に示すリバーシブルキーボードのキートップ部のさらに他の実施例を示す斜視図である。
【図２３】実施の形態２に係わるリバーシブルキーボードを備えた情報処理装置を示しており、リバーシブルキーボードを取り外した状態の情報処理装置の外観斜視図である。
【図２４】実施の形態３に係わるリバーシブルキーボードを備えた情報処理装置を示しており、リバーシブルキーボードを取り外した状態の情報処理装置の外観斜視図である。
【図２５】リバーシブルキーボードを装着した状態の情報処理装置の外観斜視図である。
【図２６】図２５に示す装着状態を説明するための平面図及び縦断面図である。
【図２７】図２４ないし図２７に示すリバーシブルキーボードのキートップ部の一実施例を示す斜視図である。
【図２８】図２４ないし図２７に示すリバーシブルキーボードのキートップ部の他の実施例を示す斜視図である。
【図２９】実施の形態４に係わるリバーシブルキーボードを備えた情報処理装置を示しており、リバーシブルキーボードを取り外した状態の情報処理装置の外観斜視図である。
【図３０】実施の形態５に係わるリバーシブルキーボードを備えた情報処理装置を示しており、リバーシブルキーボードを取り外した状態の情報処理装置の外観斜視図である。
【図３１】実施の形態１の情報処理装置の電気的構成を示すブロック図である。
【図３２】実施の形態１の情報処理装置において、リバーシブルキーボードを装置本体に装着したときの処理動作を説明するためのフローチャートである。
【図３３】実施の形態２の情報処理装置の電気的構成を示すブロック図である。
【図３４】実施の形態２の情報処理装置において、リバーシブルキーボードを装置本体に装着したときの処理動作を説明するためのフローチャートである。
【図３５】実施の形態３の情報処理装置の電気的構成を示すブロック図である。
【図３６】実施の形態３の情報処理装置において、リバーシブルキーボードを装置本体に装着したときの処理動作を説明するためのフローチャートである。
【図３７】実施の形態４の情報処理装置の電気的構成を示すブロック図である。
【図３８】実施の形態４の情報処理装置において、リバーシブルキーボードを装置本体に装着したときの処理動作を説明するためのフローチャートである。
【図３９】実施の形態５の情報処理装置の電気的構成を示すブロック図である。
【図４０】実施の形態５の情報処理装置において、リバーシブルキーボードを装置本体に装着したときの処理動作を説明するためのフローチャートである。
【符号の説明】
１  装置本体
１ｂ３  スプリング用受け部
１ｂ４  摺動凹部
２  表示部
３  キー入力部
５，５Ａ，５Ｂ，５Ａ１，５Ｂ１  リバーシブルキーボード
６  ロック機構部
８  ポップアップ機構部
１１  キーボード装着用凹部
１２  第１開口部
１３  第２開口部
１４  第３開口部
１５  第１検出スイッチ
１６  第２検出スイッチ
１７  第３検出スイッチ
１８  第４検出スイッチ
２２  電池収納部
３１  関数キー
３２  カーソルキー
３３  キーゴム
５１ａ  表面側のキートップ部
５１ｂ  裏面側のキートップ部
５２ａ  表面側のキーキャビネット
５２ｂ  裏面側のキーキャビネット
５３ａ  表面側の開口部
５３ｂ  裏面側の開口部
５４  つば部
５５  リブ片
５６  凹部
５７  第１検出突起部
５８  第２検出突起部
５９  ロック用凹部
６１  ロック本体部
６２  ロック用爪部
６３  スプリング用凹部
６４  ロック解除用ノブ
７０  第３検出突起部
７１  第４検出突起部
８１  棒状のポップアップ本体部
８２  当止片
８３  押上片
８４  スプリング用突起片
８５  スプリング
【図１】
0003828451.tif 000002
【図２】
0003828451.tif 000003
【図３】
0003828451.tif 000004
【図４】
0003828451.tif 000005
【図５】
0003828451.tif 000006
【図６】
0003828451.tif 000007
【図７】
0003828451.tif 000008
【図８】
0003828451.tif 000009
【図９】
0003828451.tif 000010
【図１０】
0003828451.tif 000011
【図１１】
0003828451.tif 000012
【図１２】
0003828451.tif 000013
【図１３】
0003828451.tif 000014
【図１４】
0003828451.tif 000015
【図１５】
0003828451.tif 000016
【図１６】
0003828451.tif 000017
【図１７】
0003828451.tif 000018
【図１８】
0003828451.tif 000019
【図１９】
0003828451.tif 000020
【図２０】
0003828451.tif 000021
【図２１】
0003828451.tif 000022
【図２２】
0003828451.tif 000023
【図２３】
0003828451.tif 000024
【図２４】
0003828451.tif 000025
【図２５】
0003828451.tif 000026
【図２６】
0003828451.tif 000027
【図２７】
0003828451.tif 000028
【図２８】
0003828451.tif 000029
【図２９】
0003828451.tif 000030
【図３０】
0003828451.tif 000031
【図３１】
0003828451.tif 000032
【図３２】
0003828451.tif 000033
【図３３】
0003828451.tif 000034
【図３４】
0003828451.tif 000035
【図３５】
0003828451.tif 000036
【図３６】
0003828451.tif 000037
【図３７】
0003828451.tif 000038
【図３８】
0003828451.tif 000039
【図３９】
0003828451.tif 000040
【図４０】
0003828451.tif 000041